(57)【要約】【課題】送風ファンから冷却対象物への冷却風の必要風量を最小限にし、送風ファンを含む冷却構造のコンパクト化と低騒音化を実現する【解決手段】本体２内の前部側左右と後部側中央に配置された誘導加熱コイル１３と、前部側の誘導加熱コイル右１３ａの下部に配置された基板ケース１６と、基板ケース１６の後部側に配置された送風ファン１５と、本体２の上面前部側に設けられた上面操作部９を備えた誘導加熱調理器において、前記送風ファン１５によって基板ケース１６内を冷却した後の冷却風を冷却風路１９を通して誘導加熱コイル左１３ｂと誘導加熱コイル中央１３ｃと上面操作部９に送風する如くなし、該冷却風路１９は、誘導加熱コイル左１３ｂに向けて分岐させた第一分岐路２１と、誘導加熱コイル中央１３ｃに向けて分岐させた第二分岐路２２と、上面操作部９に向けて分岐させた第三分岐路２３とで構成する。【選択図】図３
2008027739.tif 000002
【特許請求の範囲】
【請求項１】
本体上面に設けられたトッププレートと、本体内の前部側左右と後部側中央に配置された誘導加熱コイルと、前部側誘導加熱コイルの一方の下部に配置され電子制御基板を内蔵した基板ケースと、該基板ケースの後部と本体の後部側に開口した吸気口との間に配置された送風ファンと、本体の上面前部側に設けられた上面操作部を備えた誘導加熱調理器において、前記送風ファンによって基板ケース内の電子制御基板を冷却した後の冷却風を冷却風路を通して他方の前部側誘導加熱コイルと後部側中央の誘導加熱コイルと上面操作部に送風する如くなし、該冷却風路は、前記他方の前部側誘導加熱コイルに向けて分岐させた第一分岐路と、後部側中央の誘導加熱コイルに向けて分岐させた第二分岐路と、上面操作部に向けて分岐させた第三分岐路とで構成することを特徴とする誘導加熱調理器。
【請求項２】
後部側中央の誘導加熱コイルに向けて分岐させた第二分岐路の側壁を該誘導加熱コイル側に向けて湾曲する曲面形状としたことを特徴とする請求項１記載の誘導加熱調理器。
【請求項３】
上面操作部に向けて分岐させた第三分岐路の側壁面を該上面操作部側に向けて湾曲する曲面形状としたことを特徴とする請求項１記載の誘導加熱調理器。
【請求項４】
前記第一分岐路と、前記第二分岐路と、前記第三分岐路の流入口の風路を夫々Ｗ１，
Ｗ２，Ｗ３に区分して冷却風を配分することを特徴とする請求項１乃至３の何れかに記載の誘導加熱調理器。
【請求項５】
前記流入口の風路断面積Ｗ１，Ｗ２，Ｗ３は夫々異ならせたことを特徴とする請求項４に記載の誘導加熱調理器。
【請求項６】
前記流入口の風路断面積Ｗ１，Ｗ２，Ｗ３は、Ｗ２＞Ｗ１＞Ｗ３としたことを特徴とする請求項５に記載の誘導加熱調理器。
【発明の詳細な説明】
【技術分野】
【０００１】
本発明は、本体内の前部側左右と後部側中央に誘導加熱コイルを配置した誘導加熱調理器において、これらの誘導加熱コイルを冷却する冷却風路構造に関するものである。
【背景技術】
【０００２】
従来の誘導加熱調理器は、主な加熱手段が誘導加熱コイルであり、これによって発生する磁束により耐熱ガラス製のトッププレートの上に載せた調理鍋に渦電流を発生させ、調理鍋を加熱するものである。この調理器は、ガスなどの調理系に比べて調理鍋以外への放熱が少なく、熱効率も良好である。
【０００３】
構成面では、本体の上面に調理鍋を載せるトッププレートを設け、このトッププレートの下方で本体内の前部側上部左右に誘導加熱コイル、後部側中央部に抵抗ヒータを配置し、これらの加熱源の下部左右に仕切り板を介して出力基板等の制御基板とロースター部を設ける構成のものが一般的である。
【０００４】
このような構成の誘導加熱調理器は、調理鍋の加熱時に鍋だけでなく、誘導加熱コイルや制御基板などからも発熱が生じるため、送風ファンを用いて送風冷却が行われる。
【０００５】
その送風冷却の例として、例えば特許文献１，特許文献２に示すものがある。
【０００６】
特許文献１に示すものは、本体内の前部側上部左右に設けた誘導加熱コイルを駆動するためのインバータ回路を大ダクト内に配置し、左右の誘導加熱コイルに対して個々に送風を行う二つの小ダクトとは送風経路を分離状態に設け、しかも、それらに対する送風を１個の冷却ファン装置により行う構成としたものである。
【０００７】
また、特許文献２に示すものは、本体の上部後方の一側に吸気口、他側に排気口を設け、吸気口の下方の本体後部に送風ファンを備え、該ファンの吹出口と本体内の上部左右に配置した誘導加熱コイルとの間に該コイル側に上向き傾斜する専用風路を備え、送風ファンから専用風路を通して誘導加熱コイルに斜め上向きに送風し、該誘導加熱コイルを冷却するものである。
【０００８】
ところで、これらの特許文献１および特許文献２に示すものは、本体の後部側略中央部に抵抗ヒータを配置したもので、鍋を載置するトッププレートを抵抗ヒータによって加熱し、その熱を鍋に伝える構造である。
【０００９】
このため、トッププレートが高温になると云った欠点があり、このことは、トッププレートおよびその周辺が熱くならないという誘導加熱方式の利点に反する。
【００１０】
そこで、本体内の前部側左右と後部側中央に配置された加熱部全てを誘導加熱方式とする誘導加熱調理器が望まれており、事実、特許文献３，４，５には、本体の後部側中央部に設けられた加熱部も誘導加熱式とし、全ての加熱部を誘導加熱式としたものが示されている。
【００１１】
これらの誘導加熱調理器は、本体内の前部側左右の誘導加熱コイルの火力が３ｋｗ程度と大きく、揚げ物，炒め物，自動湯沸かし，自動炊飯等の自動調理が可能となっている。
【００１２】
また、本体内の後部側中央部の誘導加熱コイルは、使用者から遠い位置にあり、使い勝手上の制約を受けるため、煮物や保温などの放置しておける調理が中心となる。そのために、必要な火力は、本体内の前面側左右の誘導加熱コイルの３ｋｗに比べて１.６ｋｗ 程度と小さくなっている。
【００１３】
【特許文献１】特開平１１−８０５１号公報
【特許文献２】特開２００３−７７６３７号公報
【特許文献３】特開２００４−３１９３５０号公報
【特許文献４】特開平３−１１４１７３号公報
【特許文献５】特開２００２−８８４２号公報
【発明の開示】
【発明が解決しようとする課題】
【００１４】
上記した従来技術において、特許文献１および特許文献２に示すものは、本体内の前部側左右の誘導加熱コイルに対しては冷却用の専用送風経路を備えているが、本体の後部側略中央部に配置した抵抗ヒータは、上記したように鍋を載せるトッププレートを加熱し、その熱を鍋に伝えて加熱する構造であるため、トッププレートが高温になると云った欠点がある。このことは、トッププレートおよびその周辺が熱くならないという誘導加熱方式の利点に反し、火傷等、安全上の問題を解決するまでには至っていない。
【００１５】
また、特許文献３，４，５に示すものは、本体内の前部側左右と後部側中央に配置された加熱部すべてが誘導加熱コイルであるため、トッププレートおよびその周辺が熱くならないという誘導加熱方式の利点を有し、火傷等、安全性に優れているが、三つの誘導加熱コイルやこれらの誘導加熱コイルを制御する電子制御基板、さらには、それらの操作部を冷却するための冷却構造が複雑化し、冷却ファンの大型化や複数個の冷却ファンを必要とする等の問題が生じ、未だ製品として市場には発表されていない。
【００１６】
本発明の目的は、本体内の前部側左右と後部側中央に誘導加熱コイルを配置した誘導加熱調理器に適した冷却構造を提供することにある。
【課題を解決するための手段】
【００１７】
上記従来の課題を解決するために、本発明の請求項１では、本体上面に設けられたトッププレートと、本体内の前部側左右と後部側中央に配置された誘導加熱コイルと、前部側誘導加熱コイルの一方の下部に配置され電子制御基板を内蔵した基板ケースと、該基板ケースの後部と本体の後部側に開口した吸気口との間に配置された送風ファンと、本体の上面前部側に設けられた上面操作部を備えた誘導加熱調理器において、前記送風ファンによって基板ケース内の電子制御基板を冷却した後の冷却風を冷却風路を通して他方の前部側誘導加熱コイルと後部側中央の誘導加熱コイルと上面操作部に送風する如くなし、該冷却風路は、前記他方の前部側誘導加熱コイルに向けて分岐させた第一分岐路と、後部側中央の誘導加熱コイルに向けて分岐させた第二分岐路と、上面操作部に向けて分岐させた第三分岐路とで構成するものである。
【００１８】
請求項２では、後部側中央の誘導加熱コイルに向けて分岐させた第二分岐路の側壁を該誘導加熱コイル側に向けて湾曲する曲面形状としたものである。
【００１９】
請求項３では、上面操作部に向けて分岐させた第三分岐路の側壁面を該上面操作部側に向けて湾曲する曲面形状としたものである。
【００２０】
請求項４では、前記他方の前部側誘導加熱コイルに向けて分岐させた第一分岐路と、後部側中央の誘導加熱コイルに向けて分岐させた第二分岐路と、上面操作部に向けて分岐させた第三分岐路の流入口の風路断面積を夫々Ｗ１，Ｗ２，Ｗ３に区分して冷却風を配分するものである。
【００２１】
請求項１では、前記第一分岐路と、前記第二分岐路と、前記第三分岐路の流入口の風路を夫々Ｗ１，Ｗ２，Ｗ３に区分して冷却風を配分するものである。
【００２２】
請求項５では、前記流入口の風路断面積Ｗ１，Ｗ２，Ｗ３は夫々異ならせたものである。
【００２３】
請求項６では、前記流入口の風路断面積Ｗ１，Ｗ２，Ｗ３は、Ｗ２＞Ｗ１＞Ｗ３としたものである。
【発明の効果】
【００２４】
本発明の請求項１によれば、送風ファンによって基板ケース内の電子制御基板を冷却したのちの冷却風を、第一分岐路と第二分岐路と第三分岐路とで構成される冷却風路を通して基板ケースから遠い前部側誘導加熱コイルと、後部側中央の誘導加熱コイルと、さらに上面操作部に向けて送風し、これらを冷却するようにしたので、本体内の前部側の誘導加熱コイルはもちろん、後部側中央の誘導加熱コイル、さらには比較的耐熱性が低い上面操作部も一つの送風ファンによって効率よく冷却することができる。
【００２５】
また、冷却風路は、誘導加熱コイルの下面に形成されるスペースを利用して配置するので、構造上格別配置空間を取ることなく配置することができ、風量も確実に確保することができる
また、請求項２によれば、後部側中央の誘導加熱コイルに向けて分岐させた第二分岐路の側壁を該誘導加熱コイル側に向けて湾曲する曲面形状とし、請求項３によれば、上面操作部に向けて分岐させた第三分岐路の側壁を該上面操作部側に向けて湾曲する曲面形状としたので、風量損失を防止し、最小限な冷却風量で上記三つ冷却対象をバランス良く同時に冷却することができ、送風ファンを含む冷却構造のコンパクト化及び送風ファンの低い回転数による静音化を図ることができる。
【００２６】
さらに、請求項４乃至６によれば、送風フアンによる無駄な過剰冷却を避け、限られた風量を最大限に利用し、三つ冷却対象を同時にバランス良く効果的に冷却することができ、必要な冷却風量を最小限にすることができる。
【発明を実施するための最良の形態】
【００２７】
以下、本発明の実施例を添付図面に従って説明する。
【００２８】
図１から図４は本発明の誘導加熱調理器の一実施例を示している。図１に示されている調理器は、以下に詳細に説明するが、トッププレート３上の三個所に鍋載置部６ａ，６ｂ，６ｃを設けたビルトイン型の誘導加熱調理器である。
【００２９】
尚、本実施例は、キッチンに嵌め込むビルトイン型でなく、キッチンに載置する据置型の加熱調理器であっても差し支えない。
【００３０】
誘導加熱調理器の本体２は、システムキッチン１の上面から落とし込んで設置することで組み込まれる。設置後は後述するロースター部４と操作パネル５がシステムキッチン１の前面部から操作できるようになっている。
【００３１】
調理を行う際の調理鍋（図示せず）は、本体２の上面に設けられた耐熱ガラス等からなるトッププレート３上に載置される。
【００３２】
調理鍋は、トッププレート３に描かれた載置部６に載置されることで調理可能となる。載置部６は、トッププレート３の前面側に載置部右６ａと載置部左６ｂが配置され、これら両載置部６ａ，６ｂの間の後部側中央部に載置部中央６ｃが配置されている。そして、トッププレート３下面の鍋載置部６ａ，６ｂ，６ｃに対応した本体２内の上部には、調理鍋を加熱するための誘導加熱コイル右１３ａ，誘導加熱コイル左１３ｂ，誘導加熱コイル中央１３ｃからなる誘導加熱コイル１３が設置されている。
【００３３】
載置部中央６ｃは、位置的に使用者の手の届きにくい場所である。このため、手前の載置部右６ａ，載置部左６ｂに調理鍋が置かれた状態で載置部中央６ｃ部に手を伸ばすと、載置部右６ａ，載置部左６ｂに置かれた調理鍋から調理中に発生する蒸気により、載置部中央６ｃで手を動かす調理は行いにくい。従って、載置部中央６ｃで行う調理の種類は調理者があまり手を動かさなくても良い料理、主に煮込みや保温などの調理に適している。また、煮込みや保温は、火力も弱くて済み、最大消費電力も限りがあることから、載置部中央６ｃに設置する誘導加熱コイル中央１３ｃの火力を、載置部右６ａ及び載置部左６ｂに対応して設置されている誘導加熱コイル右１３ａ及び誘導加熱コイル左１３ｂより弱くし、消費電力が小さくなるよう設定されている。具体的には、誘導加熱コイル右１３ａと誘導加熱コイル左１３ｂは略３ｋｗ、載置部中央６ｃに設置される誘導加熱コイル中央
１３ｃは略１.６ｋｗ である。
【００３４】
また、誘導加熱コイル右１３ａ，誘導加熱コイル左１３ｂ，誘導加熱コイル中央１３ｃには図示しないが、調理鍋を加熱するためにインバータ手段から数十ｋＨｚ，数百Ｖの電圧が印加される。
【００３５】
図１において、トッププレート３の周囲には、端面を保護するためのフレーム１４が設けられている。このフレーム１４は、トッププレート３の手前の上端縁に取り付けられるフレーム前１４ａと、プレート３の後方上端縁に取り付けられるフレーム後１４ｂと、右側上端縁に取り付けられるフレーム右１４ｃと、左側上端縁に取り付けられるフレーム左１４ｄから構成されている。本例は４ピースにフレームを分割しているが、一体型でも２ピースでも何ピースでも可能であり、また、トッププレート３の４辺に取り付ける必要もなく、トッププレート３の手前だけ、後方だけ、前後の２辺だけ、若しくは左右の二辺だけでも良い。
【００３６】
本体２の内部は、図２，図３に示すように仕切り板１７によって上下二段に仕切られており、上部側には前記した誘導加熱コイル右１３ａ，誘導加熱コイル左１３ｂ，誘導加熱コイル中央１３ｃが設けられ、誘導加熱コイル右１３ａの下部側にはこれらの発熱部を制御する各種の電子制御基板（図示せず）を内蔵した基板ケース１６と後記する冷却用の送風ファン１５が設けられている。
【００３７】
本体２の後部上面の右側には、送風ファン１５と対向するように外部から空気を吸込むための吸気口７が設けられている。この吸気口７は、同じく本体２の後部上面の左側に設けた排気口８の右側に位置している。
【００３８】
送風ファン１５は、本体２内の仕切り板１７の下部において、吸気口７と基板ケース
１６の後部との間に配置されており、該送風ファン１５によって吸気口７から吸入した空気は、基板ケース１６内の電子制御基板を冷却した後、その上面から仕切り板１７の上面側に流出し、その上面の誘導加熱コイル右１３ａと、後記する冷却風路１９を通して誘導加熱コイル左１３ｂ，誘導加熱コイル中央１３ｃおよび上面操作部９を冷却した後に、排気口８から本体２外に排出される。また、この排気口８からは、後述するロースター部４の廃熱も同時に排出される。
【００３９】
図１において、ロースター部４は、魚やピザ等を焼くためのもので、本体２前面部の左側若しくは右側に配置されており（本実施例では左側）、前面に中の焼け具合を覗き見できるロースタードア３２、該ロースタードア３２にハンドル１１を備えている。なお、このロースター部４は、魚焼き専用ではないので、グリル若しくはオーブンと呼ぶこともある。
【００４０】
９は上面操作部で、複数のタクトスイッチで構成され、本体２の上面前部側でフレーム前１４ａに設けられており、誘導加熱コイル右１３ａ，誘導加熱コイル左１３ｂ，誘導加熱コイル中央１３ｃの火力調節や調理タイマーの設定，調理メニューの呼び出し，保温や煮物，自動炊飯，揚げ物調理等の設定，加熱の開始や停止等を行うことができるものであり、本体２の前面の操作パネル５で行わなくとも本体２の上面で簡単に操作できるようになっている。
【００４１】
１０はＬＥＤ等によって構成される上面表示部で、上面操作部９に沿ってトッププレート３の前面側に設けられており、上面操作部９で設定した火力設定や調理メニュー，タイマー値，調理温度等を使用者にわかりやすく表示する。
【００４２】
次に図３，図４を用いて誘導加熱コイル左１３ｂ，誘導加熱コイル中央１３ｃおよび上面操作部９を冷却する冷却風路１９の詳細について説明する。
【００４３】
冷却風路１９は、ロースター部４側の仕切り板１７の上面において、送風ファン１５と誘導加熱コイル左１３ｂ，誘導加熱コイル中央１３ｃおよび上面操作部９を連通する通路であり、一側に送風ファン１５によって基板ケース１６内の電子制御基板および誘導加熱コイル右１３ａを冷却した後の冷却風を流入させるための送風入口２０を開口させ、その反対側に誘導加熱コイル左１３ｂに向けて分岐させた第一分岐路２１、誘導加熱コイル中央１３ｃに向けて分岐させた第二分岐路２２および上面操作部９に向けて分岐させた第三分岐路２３を構成し、さらに第一分岐路２１、第二分岐路２２はその先端部に誘導加熱コイル左１３ｂ，誘導加熱コイル中央１３ｃの下面に冷却風を均一に送風するように送風出口筒２１ａ，２２ａを連結している。なお、これらの第一分岐路２１，第二分岐路２２および第三分岐路２３は、下面が仕切り板１７または別部材よる下面板，上面がトッププレート３で覆われ、左右に側壁を立てて構成したもので、途中で冷却風が洩れないように配慮されている。
【００４４】
本実施例は以上の構成よりなり、次に、誘導加熱コイル１３により調理鍋を加熱する場合について説明する。なお、ロースター部４の動作については公知のものと同様であり、また本発明と直接関係がないので省略する。
【００４５】
先ず、トッププレート３の載置部右６ａ，載置部左６ｂ，載置中央６ｃの全て、または何れか一つか二つに調理鍋を載せた後、操作パネル５の電源入り切りスイッチをＯＮにする。
【００４６】
次に、誘導加熱コイル１３の加熱出力を設定するとともに、調理する内容に応じて本体２の上面手前側に設けられている上面操作部９で火力調節や調理タイマーの設定，調理メニューを呼び出し保温や煮物，自動炊飯，揚げ物調理等の設定，調理温度の設定，加熱の開始等を行う。
【００４７】
このとき、この上面操作部９で設定した火力設定や調理メニュー，タイマー値，調理温度等は上面表示部１０に使用者が判りやすいように表示される。
【００４８】
調理が始まると、使用者は、調理内容に応じて進行具合を見ながら調理鍋に調味料等を入れ、好みの味付けに仕上げる。以上の動作によって調理は完了する。
【００４９】
次に、この動作中における誘導加熱コイル左１３ｂ，誘導加熱コイル中央１３ｃおよび上面操作部９の冷却について、詳細に説明する。
【００５０】
図２および図３に示すように、送風ファン１５の駆動によって矢印のように吸気口７から本体２内に流入した冷却風は、送風ファン１５から基板ケース１６内に流入して電子制御基板を冷却した後、基板ケース１６の上面に流出する。
【００５１】
そして、その流出した冷却風は、直接またはその真上に配置されている誘導加熱コイル右１３ａを冷却した後、冷却風路１９の送風入口２０から冷却風路１９内に流出し、その反対側の誘導加熱コイル左１３ｂに向けて分岐させた第一分岐路２１，誘導加熱コイル中央１３ｃに向けて分岐させた第二分岐路２２および上面操作部９に向けて分岐させた第三分岐路２３にそれぞれ分流し、さらにその先端部に連結した送風出口筒２１ａ，２２ａによって上向きに流れを変えられ、誘導加熱コイル左１３ｂ，誘導加熱コイル中央１３ｃにその下面から冷却風を吹き付けて該誘導加熱コイル左１３ｂ，誘導加熱コイル中央１３ｃの全体を冷却する。
【００５２】
一方、第三分岐路２３に流入した冷却風は、上面操作部９に向かって吹き付けられ、比較的耐熱性が低い上面操作部９、さらにはＬＥＤ等によって構成される上面表示部１０をも冷却する。
【００５３】
次に、図４によって他の実施例を説明する。
【００５４】
前記と同一の冷却風路１９において、後部側の誘導加熱コイル中央１３ｃに向けて分岐させた第二分岐路２２の左右側壁の間に該誘導加熱コイル１３ｃ側に向けて湾曲する曲面形状の内壁２２ｂを設けたものである。なお、この曲面形状の内壁２２ｂは、第二分岐路２２の左右側壁面そのものを湾曲させてもよい。
【００５５】
この実施例によれば、前記した冷却風路１９の送風入口２０から第二分岐路２２に分岐した冷却風は、曲面形状の内壁２２ｂによって風量損失を防止され、その先端部に連結した送風出口筒２２ａによって上向きに流れを変えられ、誘導加熱コイル中央１３ｃにその下面から冷却風を吹き付けて誘導加熱コイル中央１３ｃ全体を冷却する。
【００５６】
図５はさらに他の実施例を示すもので、前記と同一の冷却風路１９において、上面操作部９に向けて分岐させた第三分岐路２３の側壁に該上面操作部９側に向けて湾曲する曲面形状の内壁２３ａを設けたものである。なお、この曲面形状の内壁２３ａは、第三分岐路２３の左右側壁面そのものを湾曲させて形成してもよい。
【００５７】
この実施例によれば、前記した冷却風路１９の送風入口２０から第三分岐路２３に分岐した冷却風は、曲面形状の内壁２３ａによって風量損失を防止され、比較的耐熱性が低い上面操作部９、さらにはＬＥＤ等によって構成される上面表示部１０をも効率よく冷却する。
【００５８】
次に、図４，図５および図６において、さらに他の実施例を説明する。
【００５９】
本実施例は、冷却対象である誘導加熱コイル左１３ｂ，誘導加熱コイル中央１３ｃおよび上面操作部９の発熱量に合わせて冷却風路１９の送風入口２０の風路断面積をＷ１，
Ｗ２，Ｗ３に区分し、第一分岐路２１，第二分岐路２２および第三分岐路２３を通して誘導加熱コイル左１３ｂ，誘導加熱コイル中央１３ｃおよび上面操作部９に分流する冷却風の配分を最適な分配率になるようにしたものである。なお、このとき上記風路断面積Ｗ１，Ｗ２，Ｗ３の比率を変えて最適な分配率になるように調整すれば無駄な過剰冷却を避け、限られた冷却風量を最大限に利用し、三つの冷却対象を同時にバランス良く効果的に冷却することができる。本実施例では、Ｗ１から流入した冷却風を第二分岐路２２を通して誘導加熱コイル中央１３ｃに導き、Ｗ２から流入した冷却風を第一分岐路２１を通して誘導加熱コイル左１３ｂに導き、Ｗ３から流入した冷却風を第三分岐路を通して上面操作部９に導くようにしている。そして、Ｗ１，Ｗ２，Ｗ３の風路断面積は、発熱量が大きい誘導加熱コイル左１３ｂへの風路を大きくし、発熱量が小さい上面操作部９への風路を小さくしている。すなわちＷ１，Ｗ２，Ｗ３の風路断面積は、夫々異なっており、発熱量が大きい順、Ｗ２＞Ｗ１＞Ｗ３としている。
【００６０】
以上説明したように、本発明によれば、送風ファンによって基板ケース内の電子制御基板を冷却したのちの冷却風を、第一分岐路と第二分岐路と第三分岐路とで構成される冷却風路を通して基板ケースから遠い前部側誘導加熱コイルと、後部側中央の誘導加熱コイルと、さらに上面操作部に向けて送風し、これらを冷却するようにしたので、本体内の前部側の誘導加熱コイルはもちろん、後部側中央の誘導加熱コイル、さらには比較的耐熱性が低い上面操作部も一つの送風ファンによって効率よく冷却することができる。
【００６１】
また、冷却風路は、誘導加熱コイルの下面に形成されるスペースを利用して配置するので、構造上格別配置空間を取ることなく配置することができ、風量も確実に確保することができる。
【００６２】
また、後部側中央の誘導加熱コイルに向けて分岐させた第二分岐路の側壁を該誘導加熱コイル側に向けて湾曲する曲面形状とし、上面操作部に向けて分岐させた第三分岐通路の側壁面を該上面操作部側に向けて湾曲する曲面形状としたので、風量損失を防止し、最小限な冷却風量で上記三つ冷却対象をバランス良く同時に冷却することができ、送風ファンを含む冷却構造のコンパクト化及び送風ファンの低い回転数による静音化を図ることができる。
【００６３】
さらに、基板ケースと反対側の前部側誘導加熱コイルに向けて分岐させた第一分岐路と、後部側中央の誘導加熱コイルに向けて分岐させた第二分岐路と、上面操作部に向けて分岐させた第三分岐路の流入口の風路断面積を夫々Ｗ１，Ｗ２，Ｗ３に区分して冷却風を配分するようにしたので、送風フアンによる無駄な過剰冷却を避け、限られた風量を最大限に利用し、効果的に冷却することができる。
【図面の簡単な説明】
【００６４】
【図１】本発明の誘導加熱調理器をシステムキッチンに組み込んだ状態の斜視図である。
【図２】同誘導加熱調理器における内部構造の斜視図である。
【図３】同内部構造を説明するための平面図である。
【図４】同冷却風路の一実施例の斜視図である。
【図５】同冷却風路の他の実施例の斜視図である。
【図６】同冷却風路の他の実施例の斜視図である。
【符号の説明】
【００６５】
２…本体、３…トッププレート、７…吸気口、８…排気口、１３…誘導加熱コイル、
１３ａ…誘導加熱コイル右、１３ｂ…誘導加熱コイル左、１３ｃ…誘導加熱コイル中央、１５…送風ファン、１６…基板ケース、１９…冷却風路、２０…送風入口、２１…第一分岐路、２２…第二分岐路、２３…第三分岐路。
【図１】
2008027739.tif 000003
【図２】
2008027739.tif 000004
【図３】
2008027739.tif 000005
【図４】
2008027739.tif 000006
【図５】
2008027739.tif 000007
【図６】
2008027739.tif 000008